(57)【要約】      （修正有）【課題】筐体の薄型化を図りつつ、デザインの自由度を確保することができる携帯電子機器を提供する。【解決手段】携帯電話機は、上部筐体のリアケース５と、上部筐体のリアケース５と内面側同士を対向させた状態で接合される上部筐体のフロントケース４と、上部筐体のリアケース５の外面側に配置されて、外観の主要部を形成する意匠パネル８と、を有し、上部筐体のリアケース５は、意匠パネル８を載置可能な載置部２１を有し、意匠パネル８は、外観を構成する平面部１６と、前記外面側の反対面側に少なくとも１つの螺着用のボス部１０と、を有し、上部筐体のフロントケース４は、意匠パネル８のボス部１０に対して螺着される。【選択図】図９
2010193218.tif 000002
【特許請求の範囲】
【請求項１】
第１の筐体部材と、
前記第１の筐体部材と、内面側同士を対向させた状態で接合される第２の筐体部材と、
前記第１の筐体部材の外面側に配置されて、外観の主要部を形成する意匠パネルと、を有し、
前記第１の筐体部材は、前記意匠パネルを載置可能な載置部を有し、
前記意匠パネルは、
外観を構成する平面部と、
前記外面側の反対面側に少なくとも１つの螺着用のボス部と、を有し、
前記第２の筐体部材は、前記意匠パネルのボス部に対して螺着される
携帯電子機器。
【請求項２】
前記意匠パネルは、
前記ボス部に対向する部分に、他の部分の肉厚よりも薄い肉厚となる薄肉部を有する
請求項１記載の携帯電子機器。
【請求項３】
前記ボス部はナット部材を配置し、
ボルト部材によって前記第２の筐体部材と螺着される
請求項１又は２に記載の携帯電子機器。
【請求項４】
前記第１の筐体部材には、前記ボス部が挿入される穴部を有している
請求項１〜３いずれか１項に記載の携帯電子機器。
【請求項５】
前記意匠パネルは、
補強部材を有し、
前記補強部材は、ボス部と平面部とを結合する部分に配置されている
請求項１〜４いずれか１項に記載の携帯電子機器。
【請求項６】
前記補強部材は、平面部と直角な平面を持つリブ形状を有し、
前記補強部材は前記ボス部を中心として放射状に配置されている
請求項５に記載の携帯電子機器。
【請求項７】
前記穴部は、補強部材の放射状の形状に合わせて、放射形状となっている
請求項６に記載の携帯電子機器。
【請求項８】
前記第１の筐体部材と第２の筐体部材の接合は、
前記意匠パネルに形成されたボス部と第２の筐体部材との螺着によってなされる
請求項１〜７いずれか１項に記載の携帯電子機器。
【請求項９】
前記第２の筐体部材には表示部が配置されている
請求項１〜８いずれか１項に記載の携帯電子機器。
【請求項１０】
前記第１の筐体部材、前記第２の筐体及び前記意匠パネルは樹脂成型によって形成されている
請求項１〜９いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、一方の筐体にナットを一体的に埋め込み、このナットにネジ止めすることによって、ナットが埋め込まれた一方の筐体と他方の筐体とを結合させる携帯電子機器が記載されている。
また、図１のように、リアケース１０５の一部であるボス部１１０に金属性のナット１１１を樹脂成型によって一体的に形成し、ボス部１１０があるリアケース１０９の表面側部分にまで、意匠パネル１０８が配置されることも従来行われている。
さらに、図２のように、リアケース１０５の一部であるボス部１１０に金属性のナット１１１を樹脂成型によって一体的に形成しているが、ボス部１１０があるリアケース１０９の表面側部分までは、意匠パネル１０８を配置しないことも従来行われている。
【先行技術文献】
【特許文献】
【０００３】
【特許文献１】実公平３―０１１９６７号公報
【発明の概要】
【発明が解決しようとする課題】
【０００４】
しかしながら、図１のように構成すると、フロントケース１０４の厚さＡに、ボス部１１０の長さＢ、リアケース１０５の厚さＣ、両面テープ１１２の厚さＤ及び意匠パネル１０８の厚さＥを足したものが筐体の厚さとなってしまう。
これにより、薄型化が求められる携帯電子機器において、筐体の厚さを増してしまい望ましくない。
一方、図２のように構成すると、筐体の厚さは、フロントケースの厚さＡに、ボス部の長さＢ及びリアケースの厚さＣのみを足したものになり薄型化を図ることができるが、意匠パネル１０８の形状を制約してしまう。
このことは、デザインの自由度を制約してしまうことを意味しており、携帯電子機器はそのデザインが重要視されるので、デザインの自由度を制限することは好ましくない。
【０００５】
本発明の目的は、筐体の薄型化を図りつつ、デザインの自由度を確保することができる携帯電子機器を提供することである。
【課題を解決するための手段】
【０００６】
本発明の携帯電子機器は、第１の筐体部材と、前記第１の筐体部材と、内面側同士を対向させた状態で接合される第２の筐体部材と、前記第１の筐体部材の外面側に配置されて、外観の主要部を形成する意匠パネルと、を有し、前記第１の筐体部材は、前記意匠パネルを載置可能な載置部を有し、前記意匠パネルは、外観を構成する平面部と、前記外面側の反対面側に少なくとも１つの螺着用のボス部と、を有し、前記第２の筐体部材は、前記意匠パネルのボス部に対して螺着される。
【０００７】
好適には、前記意匠パネルは、前記ボス部に対向する部分に、他の部分の肉厚よりも薄い肉厚となる薄肉部を有する。
【０００８】
好適には、前記ボス部にはナット部材を配置し、ボルト部材によって前記第２の筐体部材と螺着される。
【０００９】
好適には、前記第１の筐体部材は、前記ボス部が挿入される穴部を有している。
【００１０】
好適には、前記意匠パネルは、補強部材を有し、前記補強部材は、ボス部と平面部とを結合する部分に配置されている。
【００１１】
好適には、前記補強部材は、平面部と直角な平面を持つリブ形状を有し、前記補強部材は前記ボス部を中心として放射状に配置されている。
【００１２】
好適には、前記穴部は、補強部材の放射状の形状に合わせて、放射形状となっている。
【００１３】
好適には、前記第１の筐体部材と第２の筐体部材の接合は、前記意匠パネルに形成されたボス部と第２の筐体部材との螺着によってなされる。
【００１４】
好適には、前記第２の筐体部材には表示部が配置されている。
【００１５】
好適には、前記第１の筐体部材、前記第２の筐体部材及び前記意匠パネルは、樹脂成型によって形成されている
【発明の効果】
【００１６】
本発明によると筐体の薄型化を図りつつ、デザインの自由度を確保することができる携帯電子機器を提供することができる。
【図面の簡単な説明】
【００１７】
【図１】従来例を説明するための説明図である。
【図２】従来例を説明するための説明図である。
【図３】本発明の実施形態に係る携帯電話機の外観を開状態で示す斜視図である。
【図４】携帯電話機の閉状態での外観斜視図である。
【図５】上部筐体のリアケース及び意匠パネルのみとした外観斜視図である。
【図６】図５の意匠パネルの背面図である。
【図７】図７（ａ）は、図６においてボス部を拡大した説明図である。また、図７（ｂ）は、図６においてＡ方向からのボス部様子を拡大した説明図である。
【図８】上部筐体のリアケースの正面図である。
【図９】図４のＶＩＩＩ−ＶＩＩＩ断面における断面図である。
【発明を実施するための形態】
【００１８】
図３は、本発明の実施形態に係る携帯電話機１の外観を開状態で示す斜視図である。
【００１９】
携帯電話機１は、いわゆる折り畳み式の携帯電話機１として構成されており、開状態と閉状態との間で互いに回動可能に連結された上部筐体２及び下部筐体３を有している。
図３は、上部筐体２及び下部筐体３の開状態を示している。
上部筐体２は、下部筐体３と対向する部分を構成する上部筐体のフロントケース４と、下部筐体３とは反対側部分を構成する上部筐体のリアケース５とを有している。
下部筐体３は、上部筐体２と対向する部分を構成する下部筐体のフロントケース６と、上部筐体２とは反対側部分を構成する下部筐体のリアケース７とを有している。
【００２０】
上部筐体のフロントケース４及び上部筐体のリアケース５は後述する手段によって互いに固定され、上部筐体のフロントケース４及び上部筐体のリアケース５の間に形成された空間に種々の電子部材を収容する収容空間を構成する。
下部筐体のフロントケース６及び下部筐体のリアケース７はネジ等により互いに固定され、下部筐体のフロントケース６及び下部筐体のリアケース７の間に形成された空間に種々の電子部材を収容する収容空間を構成する。
【００２１】
これらの上部筐体のフロントケース４、上部筐体のリアケース５、下部筐体のフロントケース６及び下部筐体のリアケース７は、例えば、樹脂により形成されている。
また、第１筐体のフロントケースには、ＬＣＤ（液晶ディスプレイ）やＯＬＥＤ（Organic light-emitting diode（有機ＥＬ））等から構成される表示部２０も配置される。
【００２２】
図４は、携帯電話機１の閉状態での外観斜視図である。
【００２３】
携帯電話機１を上部筐体のリアケース５側から観察すると、図４のように、上部筐体のリアケース５はその長手方向の両サイドを形成する規制部１５のみが露出している。
そして、この規制部１５の間には意匠パネル８が配置されている。
意匠パネル８は上部筐体のリアケース側を観察した時には、その外観のほとんどを形成している。
また、上部筐体のリアケース５及び意匠パネル８は樹脂成型によって形成されているので、その形状をある程度自由に形成することができる。
【００２４】
図５は、上部筐体のリアケース５及び意匠パネル８のみとした外観斜視図である。
【００２５】
上部筐体のリアケース５及び意匠パネル８は、下部筐体３と結合する側である長手方向の一方部分には湾曲部分１８を有している。
この湾曲部分１８は携帯電話機１を開状態と閉状態とに展開・折りたたみする時に、上部筐体のリアケース５及び意匠パネル８が下部筐体３と接触しないために設けられている。
そして、上部筐体のリアケース５及び意匠パネル８は、湾曲部分１８の間に凹み部１９を有している。この凹み部１９は上部筐体２と下部筐体３とを結合するジョイント部材が挿入されるための部分である。
【００２６】
ところで、携帯電話機１はボタン操作を行わない場合には通常閉状態を成している上に、机の上などに置かれる場合には、閉状態でかつ上部筐体のリアケース５及び意匠パネル８側が上になって置かれることが多い。
それゆえ、上部筐体のリアケース５及び意匠パネル８側の外観は、携帯電話機１の外観のうちでもっとも重要な部分の一つである。そして、意匠パネル８は外観のほとんどを占めるのであることから、上部筐体のリアケース５よりも意匠パネル８の方が更に重要である。
すなわち、上部筐体のリアケース５の外観は極めて重要であるため、その表面にわずかでもヒケ等の外観不良が生じることは可能な限り避ける必要がある。
【００２７】
図６は、図５の意匠パネル８の背面図である。
【００２８】
意匠パネル８は長方形形状をしており、その長手方向の一端は湾曲部分１８を有している。
また、意匠パネル８は、平面部１６とボス部１０とを有する。そして、平面部１６は平板形状を有して、その外部側の面は携帯電話機１の外観を構成している。
【００２９】
この意匠パネル８の平面部１６の内部側面には、各角付近に各々ボス部１０が配置されている。すなわち、全部で４つのボス部１０が配置されている。このボス部１０は内部側に伸びる円筒状をしており、その内部には後述するナット１１が埋め込まれている。
ナット１１は、射出成型によって意匠パネル８を成型する際に、一体的に形成する。もっとも、必ずしも車室整形によって一体成型する必要はなく、例えば、意匠パネル８を成型した後に、ナット１１を接着剤によって接着する方法や、ボス部１０を高温にして溶解させてナット１１を埋め込むことによることもできる。
さらに、意匠パネル８自体が強度の高い材質（強化プラスチック）によって形成されている時には、ナット１１自体をなくしてしまい、後述するボルト１３によって直接螺着することも可能である。
また、ボス部１０の数及び位置は設計上の都合に合わせて適宜変更可能である。
【００３０】
図７（ａ）は、図６においてボス部１０を拡大した説明図である。また、図７（ｂ）は、図６においてＡ方向からのボス部１０様子を拡大した説明図である。
【００３１】
図７（ａ）に記載した様に、ボス部１０は円筒形状をしており、その中心側にはボス部１０と同心円状のナット１１が配置されている。そして、リブ部１２はボス部１０の側面から放射状に８本配置されている。もっとも、スペース状の都合によって一部のボス部１０は、リブ部１２の数が一部欠けているものがある。
【００３２】
図７（ｂ）に記載した様に、リブ部１２は平面部１６とボス部１０との接合を補強する様に、平面部１６とリブ部１２の間に配置されている。そして、リブ部１２は直角三角柱形状をしており、直角な部分を構成する四角形をした平面の一つは平面部１６と接合されており、直角な部分を構成する四角形をした平面の他の一つはボス部１０と接合されている。
【００３３】
前述の様に、リブ部１２は放射形状をしている。
この様にリブ部１２を放射状の形状に作製した理由は、表面部１６の表面異常を防止することと、ボス部１０を補強することという、相反する目的を達成するためである。
すなわち、リブ部１２を大きく作製してしまうと、ボス部１０は強度に補強されるが、樹脂による射出成型時にボス部１０及びリブ部１２に樹脂が先に充填されるために、平面部１６にヒケ等の表面の異常が発生してしまう。
一方、リブ部１２を無くしてしまうと、平面部１６に表面異常は発生しなくなるが、ボス部１０の強度が不足してしまう。
そこで、平面部１６に表面の異常が生じないようにリブ部１２へ充填される樹脂の量を削減しつつ、リブ部１２として補強作用をなさせる為に、放射状の形状としたものである。
【００３４】
図８は、上部筐体のリアケース５の正面図である。
上部筐体のリアケース５は、上部筐体のリアケース５の長手方向に伸び、上部筐体のリアケース５の長手方向における左右部分に配置される規制部１５を有している。
規制部１５は上部筐体のリアケース５の長手方向の両サイドに位置し、その長手方向の長さは、意匠パネル８と同一の長さを有している。
上部筐体のリアケース５の外観上、規制部１５は上部筐体のリアケース５の短手方向の長さの約１割程度を占めており、両サイドの規制部１５を合わせると約２割程度の長さとなっている。
この規制部１５が、上部筐体のリアケース５の短手方向の位置決めをしている。
【００３５】
そして、上部筐体のリアケース５は両サイドの規制部１５の間に載置部２１が配置されている。規制部１５と載置部２１は、上部筐体のリアケース５を長手方向から観察すると凹形状を有しており、凹んだ部分が載置部２１に該当する。この載置部２１には意匠パネル８が載置される。
【００３６】
載置部２１には複数の穴が穿かれている。複数の穴とは、４つのボス用穴２４、４つの電子部品用穴部２３である。
ボス用穴２４は、円筒形のボス部１０が挿入されるための円形のボス本体用穴部２５と、ボス部１０の側面に放射状に配置されているリブ部１２のためのリブ用穴部２６から構成されている。
また、電子部品用穴部２３は筐体内部に配設されている数々の電子部材を配置する空間を確保するために穿かれている。
【００３７】
図９は、図４のＶＩＩＩ−ＶＩＩＩ断面における断面図である。
【００３８】
図８のように、上部筐体のリアケース５の載置部２１に意匠パネル８が載置される。そして、意匠パネル８のボス部１０（リブ部１２）は、ボス用穴２４（ボス本体用穴部２５、リブ用穴部２６）に挿入される。
ボス部１０には、ナット１１が樹脂成型によって一体的に埋め込まれている。
また、意匠パネル８のナット１１が配置される平面部１６には、他の平面部１６よりも厚さが薄い薄肉部２７が設けられている。
このように薄肉部２７があることによって、ボルト１３の長さを長く取ることができ、より確実に意匠パネル８と上部筐体のフロントケース４を固定することが可能となる。
さらに、射出成型時には、ボス部１０に流れ込んだ後に、意匠パネル８の薄肉部２７に樹脂が流れ込むことになるが、薄肉部２７はその厚さが薄いのであるから、必要な樹脂の量が少なくて済み、薄肉部２７に樹脂が充填されやすくなるという効果がある。
【００３９】
ナット１１は意匠パネル８の表面側に、内部側よりもその半径が大きい拡張部を有しており、この拡張部によって、ナット１１が意匠パネル８から抜けることを防止している。
上部筐体のフロントケース４には他の部分より凹となっているボルト挿入部３１が設けられており、この部分に空けられた穴にボルト１３を挿入して、意匠パネル８のボス部１０に設けられたナット１１と螺着される。
これによって、上部筐体のフロントケース４と意匠パネル８は接合される。
また、意匠パネル８がボルト１３とナット１１との螺着によって上部筐体のフロントケース４側に引っ張られると、上部筐体のリアケース５は意匠パネル８を載置していることから、上部筐体のリアケース５も上部筐体のフロントケース４側に引っ張られる。
なお、ボルト１３の頭部分はボルト挿入部３１が凹形状を有するのでその凹み部分に収納される。
【００４０】
上部筐体のフロントケース４のその外観を構成する部分に、両面テープ２８、飛散防止フィルム２９及びウインドウ３０が配置される。
ウインドウ３０は強化ガラスによって構成される。
ウインドウ３０は図示しない液晶を保護するためのものであり、飛散防止フィルム２９は万一、ウインドウ３０が破損した場合に、ウインドウ３０を構成するガラスが飛び散るのを防止するためのものである。
【００４１】
このように、意匠パネル８にナット１１を配置することによって、筐体の厚さは、上部筐体のフロントケース４の厚さＡに、ボス部１０の長さＢ及び上部筐体のリアケース５の厚さＣのみを足したものになり薄型化を図ることができる（図１と対比）。そして、筐体の厚さが薄く構成できるということは無駄な筐体用の部材が無いことを意味するのであるから、軽量化することができる。
【００４２】
さらに、意匠パネル８にナット１１を配置することによって、上部筐体２の厚さを増やさずに意匠パネル８を大きく取ることができ、意匠パネル８のサイズに自由度を持たせることができる（図２と対比）。そして、意匠パネル８のサイズに自由度があるということは、意匠パネル８に対するデザインの自由度が高いことを意味する。
【００４３】
つまり、図２のようにハブ部１０が上部筐体のリアケース５に構成される場合には、意匠パネル８を避けた位置にしかハブ部１０を構成することができない。
しかし、本発明のように、ハブ部１０を意匠パネル８に配置するのであれば、ハブ部１０は意匠パネル８が配置される範囲であればどの位置にも配置することができる。
このように意匠パネル８のどの位置にでも配置することができるということは、意匠パネル８の形状及び大きさを、ハブ部１０の配置に拘束されることがなく決定できることを意味する。
そして、意匠パネル８の形状及び大きさを自由に決定できることは、デザイン上極めて有利である。
【００４４】
意匠パネル８の形状及び大きさがハブ部１０の配置に拘束されないということは、逆に考えると、ハブ部１０の位置は意匠パネル８の形状及び大きさに拘束されないということである。
このことは、ハブ部１０の位置を自由に決定できるということを意味し、設計上の必要性に応じてハブ部１０の位置を自由に変更できることを意味する。
このように、ハブ部１０の位置を自由に変更できるということは、小型化・薄型化を極限まで求められる携帯電話機１においては、設計上極めて有利である。
【００４５】
また、上部筐体のリアケース５と上部筐体のフロントケース４との接合は、意匠パネル８と上部筐体のフロントケース４との螺着によってなされている。
つまり、上部筐体のフロントケース４に空けられたボルト挿入部３１に挿入されるボルト１３と、意匠パネル８のボス部１０に配置されるナット１１と、が螺着されることによって、意匠パネル８は上部筐体のフロントケース４側に移動させられる。
そうすると、意匠パネル８は意匠パネル８の上部筐体のフロントケース４側に配置されている載置部２１に載置されているのであるから、意匠パネル８がフロントケース側に移動するとそれに伴い載置部２１も上部筐体フロントケース４側に移動する。
そして、載置部２１は上部筐体のリアケース５の一部であるのだから、載置部２１が上部筐体フロントケース４側に移動するのに伴って、上部筐体のリアケース５も上部筺体のフロントケース４側に移動する。
これによって、上部筺体のリアケース５も上部筐体のフロントケース４と接することになる。
以上によって、上部筺体のリアケース５と上部筐体のフロントケース４とを、両者を直接接合する両面テープ・ネジ部材等が無くても、結合することが可能となる。
このことは、上部筺体のリアケース５と上部筐体のフロントケース４とを直接接合する両面テープ・ネジ部材等が無くなるのであるから、製造工程数の削減・材料コストの削減等を可能とする。
さらに、両面テープ等がなくなることによって、その分薄型化することが可能となる。
【００４６】
以上の実施形態によれば、本発明の携帯電話機１は、上部筐体のリアケース５と、上部筐体のリアケース５と、内面側同士を対向させた状態で接合される上部筐体のフロントケース４と、上部筐体のリアケース５の外面側に配置されて、外観の主要部を形成する意匠パネル８と、を有している。
そして、上部筐体のリアケース５は、意匠パネル８を載置可能な載置部２１を有し、意匠パネル８は、外観を構成する平面部１６と、前記外面側の反対面側に少なくとも１つの螺着用のボス部１０と、を有している。
さらに、上部筐体のフロントケース４は、意匠パネル８のボス部１０に対して螺着される。
このような構成によって、意匠パネル８にナット１１を配置することによって、筐体の厚さは、上部筐体のフロントケース４の厚さＡに、ボス部１０の長さＢ及び上部筐体のリアケース５の厚さＣのみを足したものになり薄型化を図ることができる。そして、筐体の厚さが薄く構成できるということは無駄な筐体用の部材が無いことを意味するのであるから、軽量化することができる。
また、このような構成によって、意匠パネル８にナット１１を配置することによって、上部筐体２の厚さを増やさずに意匠パネル８を大きく取ることができ、意匠パネル８のサイズに自由度を持たせることができる。そして、意匠パネル８のサイズに自由度があるのであるから、意匠パネル８に対するデザインの自由度が高く有利である。
加えて、このような構成によって、ハブ部１０の位置を自由に変更できる。このことは、ハブ部１０の位置を自由に変更できるということは、小型化・薄型化を極限まで求められる携帯電話機１においては、設計上極めて有利である。
さらに、このような構成によって、上部筺体のリアケース５と上部筐体のフロントケース４とを、両者を直接接合する両面テープ１１２・ネジ部材等が無くても、結合することが可能となる。このことは、上部筺体のリアケース５と上部筐体のフロントケース４とを直接接合する両面テープ・ネジ部材等が無くなるのであるから、製造工程数の削減・材料コストの削減等を可能とする。
【００４７】
また、意匠パネル８は、前記ボス部１０に対向する部分に、他の部分の肉厚よりも薄い肉厚となる薄肉部２７を有する。
このように薄肉部２７があることによって、ボルト１３の長さを長く取ることができ、より確実に意匠パネル８と上部筐体のフロントケース４を固定することが可能となる。
さらに、射出成型時には、ボス部１０に流れ込んだ後に、意匠パネル８の薄肉部２７に樹脂が流れ込むことになるが、薄肉部２７は肉厚が薄いのであるから、必要な樹脂の量が少なくて済み、薄肉部２７に樹脂が充填され易くなるという効果がある。
【００４８】
ボス部１０にはナット１１を配置し、ボルト１３によって上部筐体のフロントケース４と螺着される。
このような構成によって、携帯電話機１の上部筐体のフロントケース４と上部筐体のリアケース５との結合・展開を容易に行うことができる。
【００４９】
上部筐体のリアケース５は、ボス部１０が挿入されるボス用穴２４を有している。
このような構成によって、上部筐体のリアケース５の載置部２１に意匠パネル８を載置しつつ、上部筐体のフロントケース４と意匠パネル８とを螺着可能とできる。
【００５０】
意匠パネル８は、リブ部１２を有し、リブ部１２は、ボス部１０と平面部１６とを結合する部分に配置されている。
このような構成によって、リブ部１２はボス部１０を補強することができる。
【００５１】
リブ部１２は、平面部１６と直角な平面を持つリブ形状を有し、リブ部１２はボス部１０を中心として放射状に配置されている。
このような構成によって、平面部１６に表面の異常が生じないようにリブ部１２へ充填される樹脂の量を削減しつつ、リブ部１２にボス部１０の補強を成すことができる。
【００５２】
ボス用穴２４は、補強部材の放射状の形状に合わせて、放射形状となっている。
このような構成によって、載置部２１の面積をできるだけ減らさずに、リブ部１２を設けることができる。
【００５３】
上部筐体のリアケース５と上部筐体のフロントケース４の接合は、意匠パネル８に形成されたボス部１０と上部筐体のフロントケース４との螺着によってなされる。
このような構成によって、上部筺体のリアケース５と上部筐体のフロントケース４とを直接接合する両面テープ・ネジ部材等が無くなるのであるから、製造工程数の削減・材料コストの削減等を可能とする。
さらに、両面テープ等がなくなることによって、その分薄型化・軽量化することが可能となる。
【００５４】
上部筐体のフロントケース４には表示部２０が配置されている。
このような構成によって、美観が最も要求される意匠パネル８の美観を損ねない様にすることができる。
【００５５】
上部筐体のリアケース５、上部筐体のフロントケース４及び前記意匠パネル８は、樹脂成型によって形成されている。
このような構成によって、上部筐体のリアケース５、上部筐体のフロントケース４及び意匠パネル８を容易に形成することができる。
【００５６】
なお、以上の実施形態において、上部筐体のフロントケース４は本発明の第２の筐体部材の一例であり、上部筐体のリアケース５は第１の筐体部材の一例である。
【００５７】
本発明は、以上の実施形態に限定されず、種々の態様で実施されてよい。
【００５８】
携帯電子機器は、携帯電話機１に限定されない。例えば、携帯電子機器は、ノートパソコン、ＰＤＡ、ゲーム機、カメラであってもよい。
また、携帯電子機器は、折り畳み式のものに限定されない。ケースが一体的に構成されたもの（１つのみのケース）であってもよい。
【符号の説明】
【００５９】
１…携帯電話機、２…上部筐体、３…下部筐体、４…上部筐体のフロントケース（第２の筐体部材）、５…上部筐体のリアケース（第１の筐体部材）、６…下部筐体のフロントケース、７…下部筐体のリアケース、８…意匠パネル、１０…ボス部、１１…ナット（ナット部材）、１２…リブ部（補強部材）、１３…ボルト（ボルト部材）、１５…規制部、１６…平面部、１８…湾曲部分、１９…凹み部、２０…表示部、２１…載置部、２３…電子部品用穴部、２４…ボス用穴（穴部）、２５…ボス本体用穴部、２６…リブ用穴部、２７…薄肉部、２８…両面テープ、２９…飛散防止フィルム、３０…ウインドウ、３１…ボルト挿入部、３２…表示部、１１２…両面テープ
【図１】
2010193218.tif 000003
【図２】
2010193218.tif 000004
【図３】
2010193218.tif 000005
【図４】
2010193218.tif 000006
【図５】
2010193218.tif 000007
【図６】
2010193218.tif 000008
【図７】
2010193218.tif 000009
【図８】
2010193218.tif 000010
【図９】
2010193218.tif 000011